(57)【要約】【課題】扉をペダルを踏むだけで扉のロックが解除されるともに開く方向に力が作用する操作性に優れた扉装置の提供を目的とする。【解決手段】  略Ｕ字形状の枠体と、当該枠体の内側に前後方向に開閉する扉を備え、前記扉は枠体との間に設けた回転支持装置により、当該扉の一方の側部が所定量の上昇を許容した状態で回動自在に支持され、且つ、扉と枠体との間に当該扉の開閉を規制するロック装置を有し、前記扉を所定量上昇させると前記ロック装置が解除されるようになっているとともに当該扉を上昇させるペダル装置を有し、前記ペダル装置は、扉の前後に配置した前後の一対のペダルと当該一対のペダル間にリンク連節した押上部材を有し、前記前後のペダルのうち、一方のペダルを踏むと前記押上部材の前後のうち、当該踏んだペダル側が斜めに上昇し、扉の上昇力と踏んだペダルに対して前方への回動力が生じることを特徴とする。【選択図】  図１
2014117569.tif 000002
【特許請求の範囲】
【請求項１】
略Ｕ字形状の枠体と、当該枠体の内側に前後方向に開閉する扉を備え、
前記扉は枠体との間に設けた回転支持装置により、当該扉の一方の側部が所定量の上昇を許容した状態で回動自在に支持され、
且つ、扉と枠体との間に当該扉の開閉を規制するロック装置を有し、
前記扉を所定量上昇させると前記ロック装置が解除されるようになっているとともに当該扉を上昇させるペダル装置を有し、
前記ペダル装置は、扉の前後に配置した前後の一対のペダルと当該一対のペダル間にリンク連節した押上部材を有し、
前記前後のペダルのうち、一方のペダルを踏むと前記押上部材の前後のうち、当該踏んだペダル側が斜めに上昇し、扉の上昇力と踏んだペダルに対して前方への回動力が生じることを特徴とする扉装置。
【請求項２】
前記ペダル装置に設けた一対のペダルはそれぞれペダルが２００Ｎ以上の力で踏み込まないとペダルが下がらないように付勢されていることを特徴とする請求項１記載の扉装置。
【請求項３】
前記ロック装置は扉の開き側の上部に設けた上部ロック装置を有し、
前記上部ロック装置は対応する扉側と枠体側の一方に突出方向に付勢されたロックピンと他方に設けたロック凹部とを有し、
前記ロック凹部は内側上面がテーパー状に開口した傾斜面を有することを特徴とする請求項１又は２記載の扉装置。
【請求項４】
前記ロック装置は前記上部ロック装置と扉の底部に設けた下部ロック装置を有し、
前記下部ロック装置は対応する扉側と枠体側の一方に突出方向に付勢された突出ピンと他方に設けたロック凹部を有することを特徴とする請求項１〜３のいずれかに記載の扉装置。
【請求項５】
前記回転支持装置は、枠体側に設けた傾斜受面に、扉側の傾斜摺接面が上方から載置するように枢着してあり、
前記傾斜受面と傾斜摺接面は扉が閉じた状態で通行側が下に傾斜した傾斜面で面接触するようになっていることで、扉が自動的に閉じるようになっていることを特徴とする請求項１〜４のいずれかに記載の扉装置。
【発明の詳細な説明】
【技術分野】
【０００１】
本発明は、手を使わずに開閉することも可能な扉装置に関する。
【背景技術】
【０００２】
ペットが通行できないように規制した扉や幼児等が危険な場所に立ち入らないように規制した扉が公知であり、特許文献１に幼児には踏み込めないようなフットペダルを備えたゲートを開示する。
しかし、同公報に開示するフットペダルは扉のロックを開示するだけのものであり、扉前方に向けて開くような作用がない。
特許文献２は、ペダルの踏み込み部の上方に膝当て板を設けることでペダルを踏みながら膝で扉を前方に押し開く幼児用安全柵を開示する。
しかし、同公報に開示するペダルもロックを解除するだけのものである。
【先行技術文献】
【特許文献】
【０００３】
【特許文献１】米国  ＵＳ２００１／００００５５６号特許出願公開公報
【特許文献１】特開２００４−５７６８５号公報
【発明の概要】
【発明が解決しようとする課題】
【０００４】
本発明は、ペダルを踏むだけで扉のロックが解除されるともに開く方向の力が作用する操作性に優れた扉装置の提供を目的とする。
【課題を解決するための手段】
【０００５】
本発明に係る扉装置は、略Ｕ字形状の枠体と、当該枠体の内側に前後方向に開閉する扉を備え、前記扉は枠体との間に設けた回転支持装置により、当該扉の一方の側部が所定量の上昇を許容した状態で回動自在に支持され、且つ、扉と枠体との間に当該扉の開閉を規制するロック装置を有し、前記扉を所定量上昇させると前記ロック装置が解除されるようになっているとともに当該扉を上昇させるペダル装置を有し、前記ペダル装置は、扉の前後に配置した前後の一対のペダルと当該一対のペダル間にリンク連節した押上部材を有し、前記前後のペダルのうち、一方のペダルを踏むと前記押上部材の前後のうち、当該踏んだペダル側が斜めに上昇し、扉の上昇力と踏んだペダルに対して前方への回動力が生じることを特徴とする。
ここで、扉の前後方向とは扉の一方の側部が回動自在に回転支持された状態で、通行人が通行方向前方にこの扉を開く方向を前方と表現する。
本発明は、前後方向の一対のペダルのうち手前のペダルを脚で踏み込むと、前後方向の押上部材の手前側が上方に位置する傾斜面になることで扉が押し上げられるとともに、この傾斜面により扉が前方に向けて回動する回動力が作用する。
また、本発明に係る扉装置は扉が上方に押し上げられるとロックが解除されるようになっているので、手で扉を持ち上げるようにしてもロックが解除されるので、この扉を開くことができる。
【０００６】
本発明においてはペダルを踏み込むと扉が開くので、大型犬や幼児がペダルを踏んでも作動しないように、前記ペダル装置に設けた一対のペダルはそれぞれペダルが２００Ｎ以上の力で踏み込まないとペダルが下がらないように付勢されていてもよい。
なお、通常の大人がペダルを踏み込むことができる２００〜３００Ｎの操作力（付勢力）に設定するのが好ましい。
扉が押し上げられるとロックが解除する装置としては、各種構造を採用することができる。
例えば、ロック装置は扉の開き側の上部に設けた上部ロック装置を有し、前記上部ロック装置は対応する扉側と枠体側の一方に突出方向に付勢されたロックピンと他方に設けたロック凹部とを有し、前記ロック凹部は内側上面がテーパー状に開口した傾斜面を有するようにしてもよく、また、ロック装置は上部ロック装置と扉の底部に設けた下部ロック装置を有し、前記下部ロック装置は対応する扉側と枠体側の一方に突出方向に付勢された突出ピンと他方に設けたロック凹部を有するようにしてもよい。
【０００７】
本発明において、開いた扉が自動に閉じるようにしてもよく、その構造例として、回転支持装置は、枠体側に設けた傾斜受面に、扉側の傾斜摺接面が上方から載置するように枢着してあり、  前記傾斜受面と傾斜摺接面は扉が閉じた状態で通行側が下に傾斜した傾斜面で面接触するようになっていることで、扉が自動的に閉じるようになっていてもよい。
【発明の効果】
【０００８】
本発明に係る扉装置は、前後のペダルの間にリンク連節した押上部材を有し、この押上部材が前後のペダルのうち、踏み込んだペダル側が上方に上昇するように傾くので、その傾斜面で扉が上昇する方向の力と前方に押し出される方向の力が作用し、扉をそのまま軽く前方に押し開くことが出来る。
また、前後一対のペダルの間に押上部材をリンク連節させたので共通の押上部材を用いて、扉の前後、どちらからでも開くことが出来る。
また、構造が簡単で操作性に優れる。
【図面の簡単な説明】
【０００９】
【図１】本発明に係る扉装置の構造例を示す。
【図２】扉装置を上から見た図を示し、（ａ）は扉が閉じた状態、（ｂ）はペダル３５を踏み込み扉を開いた状態を示す。
【図３】（ａ）はペダル装置の部分の拡大図を示し、（ｂ）はペダル装置のみの部品斜視図を示す。
【図４】ペダル装置の底面図を示す。
【図５】ペダル装置の底面図におけるＢ−Ｂ線断面図を示し、（ａ）は扉が閉じている状態、（ｂ），（ｃ）はペダル３５を踏み込み、押上部材３６が傾斜し、扉が開く状態を示す。
【図６】（ａ）は回転支持装置の拡大図を示し、（ｂ）は支持縦枠側の構造例、（ｃ）は付勢ピン、（ｄ）は扉側の構造例を示す。
【図７】（ａ）は扉を支持縦枠に枢着する状態、（ｂ）は付勢ピンを差し込む状態、（ｃ）は付勢ピンを組み込んだ状態。（ｄ）は扉を持ち上げると、下方に向けて付勢力が作用する説明図を示す。
【図８】（ａ）は扉が閉じた状態、（ｂ），（ｃ）は扉が少し開いた状態、（ｄ），（ｅ）は扉が９０°に開いた状態を示す。
【図９】上部ロック装置の拡大図を示し、（ａ）はロック状態、（ｂ）は扉が上昇し、ロックピンが押し込まれ、ロックが解除された状態、（ｃ）は扉が開き、（ｄ）はロック凹部の斜視図を示す。
【図１０】下部ロック装置の拡大図を示し、（ａ），（ｂ）はロックされた状態、（ｃ）は扉が上昇し、ロックが外された状態を示す。（ｄ）は扉が閉じる方向の動きを示す。
【発明を実施するための形態】
【００１０】
本発明に係る扉装置は、開き扉の開閉装置として広く多くの分野に適用できる。
例えば、ペットの通行を規制した扉、幼児の立ち入りを規制した扉等である。
以下、本発明の扉装置の実施例として、通路の間に当該の通路を仕切るように設置した例で説明する。
なお、本発明に係る扉装置はペットサークル等のサークルの開閉扉や、通路に柵状に載置するタイプの規制柵の扉装置にも適用できる。
【００１１】
図１に本発明に係る扉装置の構造例を示す。
本実施例は、略Ｕ字形状の枠体２０が通路の両側の壁間に固定され、この枠体２０の内側に扉１０を設置した例である。
枠体２０は通路を横断する方向の路面に沿って配置されたベース部２１の両側から支持縦枠２２と縦枠２３を全体として略Ｕ字形状の開口部となるように立設した例になっている。
支持縦枠２２は必要に応じて補助枠２２ａを有し、上部と下部に螺着した突張り状の固定具６１を有する。
この固定具６１の突張り量を調整するために固定具６１のおねじ部６１ａに螺着しためねじ部を有する調整具６２が設けられている。
反対側の縦枠２３も同様に補助枠２３ａを介して、固定具６１及び調整具６２を有する。
これにより上部と下部の調整具６２を回して固定具６１の突張り量を調整し、通路の対向壁に固定できる。
なお、略Ｕ字形状の枠体を設定できれば、その固定方法や設置方法に限定はない。
【００１２】
扉１０は上桟１１と下桟１２の両端部付近を左右の縦桟１３，１４で枠状に連結し、その内側に線材で格子を形成した例になっているがパネル状の扉でもよい。
扉１０の一方の側部は上桟１１の端部と下桟１２の端部にて回動自在に回転支持装置４０と図３（ａ）に示すように回転ピン部４６にて枢着されている。
回転支持装置４０と回転ピン部４６は扉がペダル装置３０で押し上げたり、手で扉１０を持ち上げることができるように所定量の上昇を許容している。
また、扉１０の開き側は上桟１１の端部と縦枠２３の上端部との間に上部ロック装置５０を有し、下桟１２の底面とベース部２１との間に下部ロック装置６０を有する。
ベース部２１の前後方向にまたがってペダル装置３０が取り付けられ、図２に平面図を示すように、前後のペダル３４，３５のうち一方を踏み込むと、扉が押し上げられ上部ロック装置５０及び下部ロック装置６０がロック解除され、扉が開くようになっている。
図２に示した例は、ペダル３５を踏み込むと図２（ｂ）に示すように扉１０が踏み込んだペダル３５の前方側に向けて開くようになっている。
【００１３】
回転支持装置４０の構造例を図６〜図８に示す。
図６（ｂ）に示すように支持縦枠２２側には受け部４１を有し、扉１０の上桟１１側に回転部４２を有する。
受け部４１は枢着凹部４１ａの内側の底面から立設した枢着軸４１ｂを有し、枢着凹部４１ａの底面は扉側が下方に位置するように斜めに傾斜した傾斜受面４１ｄになっていて、枢着凹部４１ａの上端部は傾斜受面４１ｄと平行に傾斜させるとともに、傾斜部の上部付近に係止凹部４１ｃを有する。
回転部４２は、前記枢着凹部４１ａに差し込まれる筒状部４２ａと、この筒上部４２ａの扉の開き側に係止リブ部４２ｄを有する。
筒状部４２ａの下端面は枢着凹部の４１ａの底面に形成した傾斜受面４１ｄの傾斜面に対応し、扉の開き側（枢着部における通行側）が最も下方位置になる斜めの傾斜摺接面４２ｂとなっている。
図７に示すように枢着凹部４１ａに扉側の回転部４２の筒状部４２ａを差し込むように枢着し、筒状部の筒部４２ｃの内側に枢着軸４１ｂが位置するようにし、付勢ピン４３をそれらの内側に差し込む。
付勢ピン４３は、図６（ｃ）に示すようにピン部より拡径した頭部４３ａとピン部の先端にＣリング４５の差し込み溝部４３ｂを有し、このピン部にスプリング４４を装着してある。
図７（ｂ），（ｃ）に示すように、付勢ピン４３を段差凹部４２ｅの段部にスプリング４４の下端が当たるようにして上方から枢着軸４１ｂの内側に差し込み、ピン部の先端の差し込み溝部４３ｂにＣリング４５を差し込み組付ける。
このＣリング４５により付勢ピン４３が抜けないようになっている。
これにより扉１０が下方に向けて付勢されている。
また、受け部４１の傾斜受面４１ｄと回転部４２の傾斜摺接面４２ｂとが摺接しているので  図８（ｂ），（ｃ）に示すように、扉１０を少し開くと回転部４２側の傾斜摺接面４２ｂが枢着凹部４１ａの傾斜受面４１ｄに対して摺接しながら回転し、扉１０が上昇する。
図８（ｄ），（ｅ）に示すように扉１０をさらに開き９０°にすると回転部４２側の係止リブ部４２ｄが、受け部４１側の係止凹部４１ｃに係止し、扉はこの９０°に開いた状態が保持される。
扉１０を９０°から少し閉じるように軽く閉じると、傾斜受面４１ｄに沿って自動的に扉１０１が閉じる。
【００１４】
図９に上部ロック装置５０の構造例を示す。
上桟１１の端部に設けたロック部５２には、先端から突出する方向にスプリング５２ｂで付勢されたロックピン５２ａを有し、縦枠２３の上端部にはロック受け部５１を有する。
ロック受け部５１は、ロック凹部５１ａとこのロック凹部５１ａの内側上面がテーパー状に開口した傾斜面５１ｂを有する。
これにより、図９（ｂ），（ｃ）に示すように扉１０が上昇すると、ロックピン５２ａが傾斜面５１ｂに沿って没入するので、ロックが解除される。
なお、上記とは逆にロックピンを枠体側に設けてロック凹部を扉側に設けてもよい。
【００１５】
図１０に下部ロック装置６０の構造例を示す。
下桟１２の底部にはロック部６２を有し、このロック部６２はスプリング６２ｂにより下方突出方向に付勢された突出ピン６２ａを有する。
ベース部２１側にはロック受け部６１を有し、このロック受け部６１はロック凹部６１ａとこの前後の側部に上部側の幅寸法が狭くなる方向の斜面部６１ｂを有する。
これにより扉が上昇するとロックが外れ、図１０（ｄ）に示すように扉１０が閉じる際には、突出ピン６１ａが斜面部６１ｂに沿って没入した後にロック凹部６１ａに向けて突出する。
【００１６】
次にペダル装置３０の構造例を図３〜５に基づいて説明する。
ペダル装置３０は対向する一対の取付プレート３１，３２の中央部を略逆Ｕ字形状の連結部３３で連結してあり、この連結部３３の内側にベース部２１を差し込むようにしてボルト，ナット等の固定具３３ａで固定する。
前後方向に一対のペダル３４，３５が対向する一対の取付プレート３１，３２の間に軸部３４ｂ，３５ｂで軸着されている。
ペダル３４，３５は、図４に底面図、図５に断面を示すように略Ｌ字形状になっていて、ベース部２１の前後方向外側に向けて延在する踏み込み面３４ａ，３５ａと、軸部３４ｂ，３５ｂよりも下側まで延在させた作用部３４ｄ，３５ｄを有する。
前後のペダル３４，３５との間には、断面略逆Ｕ字形状の押上部材３６をリンク部材３４ｅ，３５ｅでリンク連節してある。
具体的には、押上部材３６は上面が平面状の押上面３６ａとその両側から下方に側片３６ｂ，３６ｃを垂下させた略逆Ｕ字形状になっていて、側片３６ｂ，３６ｃの下端部にコ字形状の連結部２３６ｂ，２３６ｃを形成し、リンク部材３４ｅ，３５ｅの一端を軸着部１３６ｂ，１３６ｃで軸着し、このリンク部材３４ｅ，３５ｅの他端をペダル３４，３５の作用部３４ｄ，３５ｄと軸着部３４ｃ，３５ｃで軸着してある。
また、前後一対のペダル３４，３５はコイルスプリング３７，３８により踏み込み面３４ａ，３５ａが図４（ａ）に示すように、元の略水平方向に復帰するように付勢されている。
コイルスプリング３７，３８は、コイルの一方の端部３７ａ，３８ａをペダル３４，３５の裏面に他方の端部３７ｂ，３８ｂを連結部３３側に当接させてある。
この付勢力は踏み込み力２００〜３００Ｎにならないとペダルの踏み込み面３４ａ，３５ａが下がらないように設定してある。
これにより、大型犬や幼児では踏み込めないので安全であり、大人は踏み込める。
ペダル装置３０は、このような構造になっているから図５（ｂ），（ｃ）に示すように前後一対のペダル３４，３５のうち、一方のペダル３４又は３５を踏み込むと、押上部材３６の踏み込んだペダル側が斜めに上昇し、押上面３６ａが前方に向けて傾くように上昇傾斜する。
これにより、扉１０（下桟１２）には上昇力と前方への回動力が図５に矢印で示すように作用する。
図５はペダル３５を踏み込んだ状態を示すが、ペダル３４を踏み込むと扉１０は上記とは逆方向に開く。
【符号の説明】
【００１７】
１０      扉
１１      上桟
１２      下桟
１３      縦桟
１４      縦桟
２０      枠体
２１      ベース部
２２      支持縦枠
２３      縦枠
３０      ペダル装置
３４      ペダル
３５      ペダル
３６      押上部材
４０      回転支持装置
４１ｄ    傾斜受面
４２ｂ    傾斜摺接面
４３      付勢ピン
５０      上部ロック装置
５１ａ    ロック凹部
５１ｂ    傾斜面
５２ａ    ロック面
６０      下部ロック装置
６１      固定具
６１ａ    ロック凹部
６２      調整具
６２ａ    突出ピン
【図１】
2014117569.tif 000003
【図２】
2014117569.tif 000004
【図３】
2014117569.tif 000005
【図４】
2014117569.tif 000006
【図５】
2014117569.tif 000007
【図６】
2014117569.tif 000008
【図７】
2014117569.tif 000009
【図８】
2014117569.tif 000010
【図９】
2014117569.tif 000011
【図１０】
2014117569.tif 000012